(57)【要約】【課題】デジタル監視レコーダにおいて、電子メールを用いて外出先等の遠隔した場所から監視カメラの動作を制御できる。【解決手段】デジタル監視レコーダは、電子メールを受信すると（＃１２でＹＥＳ）、その電子メールが許可されたメールアドレスからの電子メールであり（＃１３でＹＥＳ）、その電子メールのタイトルが予め定められたタイトルである場合に（＃１４でＹＥＳ）、その電子メールはシステムを制御するために送信されてきたものであると判断する。そして、デジタル監視レコーダは、その電子メールの本文に記載されているパスワードが予め許可されたパスワードと一致する場合に（＃１５でＹＥＳ）、その電子メールの本文に記載の内容から制御命令を解読し（＃１６）、解読した制御命令に従ってカメラの動作制御を行う（＃１７）。【選択図】      図４
2004153512.tif 000002
【特許請求の範囲】
【請求項１】
所定の監視エリアを撮影するカメラと、前記カメラによる撮影画像データが記録される記録手段と、前記カメラによる撮影画像データをインターネット網を介して接続されたサーバ装置へアップロードするための情報に加工する画像データ加工手段と、前記インターネット網に接続される公衆通信回線に通信接続可能な通信手段と、前記画像データ加工手段により加工された情報を前記通信手段を介して前記サーバ装置へアップロードするアップロード手段とを備え、アクセス端末からのブラウザ表示要求に応じて前記サーバ装置にアップロードされている情報を該アクセス端末に転送することを可能とするデジタル監視レコーダにおいて、
前記カメラの動作を制御するカメラ動作制御手段と、
前記通信手段を介して電子メールを送受信する電子メール送受信手段と、
前記電子メール送受信手段により電子メールを受信したか否かを所定時間周期で確認し、受信した電子メールが予め許可したメールアドレスからの電子メールであると共に受信した電子メールのタイトルが予め定められたタイトルである場合に、その受信した電子メールはシステムを制御するためのものであると判断する電子メール確認手段と、
前記電子メール確認手段によりシステムを制御するためのものであると判断された電子メールに対して、その電子メールの本文に予め許可したパスワードが記載されている場合に、その電子メールの本文に記載の内容からシステムを制御するための制御命令を解読する制御命令解読手段とを備え、
前記カメラ動作制御手段は、前記制御命令解読手段により解読された制御命令に従って前記カメラの動作を制御することを特徴とするデジタル監視レコーダ。
【請求項２】
所定の監視エリアを撮影するカメラと、前記カメラによる撮影画像データが記録される記録手段と、前記カメラによる撮影画像データを公衆回線網を介して接続されたサーバ装置へアップロードするための情報に加工する画像データ加工手段と、前記公衆通信回線に通信接続可能な通信手段と、前記画像データ加工手段により加工された情報を前記通信手段を介して前記サーバ装置へアップロードするアップロード手段とを備え、アクセス端末からの要求に応じて前記サーバ装置にアップロードされている情報を該アクセス端末に転送することを可能とするデジタル監視レコーダにおいて、
前記カメラの動作を制御するカメラ動作制御手段と、
前記通信手段を介して電子メールを送受信する電子メール送受信手段と、
前記電子メール送受信手段により受信した電子メールに対して、その電子メールに記載の内容からシステムを制御するための制御命令を解読する制御命令解読手段とを備え、
前記カメラ動作制御手段は、前記制御命令解読手段により解読された制御命令に従って前記カメラの動作を制御することを特徴とするデジタル監視レコーダ。
【請求項３】
前記電子メール送受信手段により受信した電子メールが予め許可したメールアドレスからの電子メールであり、その電子メールのタイトルが予め定められたタイトルである場合に、その受信した電子メールはシステムを制御するためのものであると判断する電子メール確認手段をさらに備え、
前記制御命令解読手段は、前記電子メール確認手段によりシステムを制御するためのものであると判断された電子メールに対して、前記制御命令の解読を行うことを特徴とする請求項２に記載のデジタル監視レコーダ。
【発明の詳細な説明】
【０００１】
【発明の属する技術分野】
本発明は、監視カメラによる撮影画像データを公衆通信回線上に配信し、監視カメラで撮影した画像を公衆通信回線に接続されるアクセス端末により閲覧可能とするデジタル監視レコーダに関する。
【０００２】
【従来の技術】
従来から、監視カメラにて所定の監視エリアを撮影し、その撮影画像を録画する監視レコーダがある。また、このような監視レコーダにより撮影した画像のデータを監視レコーダからインターネット網を介してＷｅｂサーバにアップロードし、インターネット網に接続可能なアクセス端末により、Ｗｅｂサーバにアップロードされている画像データをダウンロードしてその画像データによる画像を表示することで、監視区域から遠隔の場所にて監視カメラによる撮影画像を見ることができるようにした監視システムがある。このような、監視レコーダ及び監視システムでは、一般に、監視レコーダに備え付けの操作部により、監視カメラの選択や監視カメラの向き、監視カメラの撮影動作のオン／オフ等、監視カメラの各種動作を制御できるようになっている。
【０００３】
また、ビデオカメラで撮影した画像をインターネットを介して携帯通信機のディスプレイに表示する自動監視システムに関し、携帯通信機のディスプレイに、ビデオカメラの選択やビデオカメラの向き等の調整機能と携帯通信機上のファンクションキーとの対応関係を表示させ、ファンクションキーの操作により、ビデオカメラの動作を制御できるようにしたものが知られている（例えば、特許文献１参照）。
【０００４】
また、テレビ番組を録画し再生する記録再生装置を遠隔操作するシステムに関し、録画予約に必要な曜日、録画開始時間、録画終了時間、チャンネル等の情報を遠隔操作装置としての電子メール送受信装置から電子メールにて記録再生装置に送信し、記録再生装置では、受信した電子メールに記述された情報を解釈して録画動作を制御するものが知られている（例えば、特許文献２参照）。このシステムでは、録画予約を行うための電子メールのデータ構造は録画予約専用の独自のものとなっており、電子メール送受信装置にて、録画予約専用のデータ構造に従って録画予約に必要な曜日、録画開始時間、録画終了時間、チャンネル等を入力して電子メールを作成し、記録再生装置では、受信した電子メールに記載された情報を録画予約専用のデータ構造に従って解釈するようになっている。
【０００５】
【特許文献１】
特開平１１−３５５７６２号公報
【特許文献２】
特開平１０−２４７３４５号公報
【０００６】
【発明が解決しようとする課題】
ところが、上述した従来の監視レコーダにおいては、監視レコーダに備え付けの操作部により監視カメラの各種動作を制御できるようになっているものの、外出先等の監視レコーダから遠隔した場所にて監視カメラの各種動作を制御できるようにはなっておらず、使い勝手が悪い面があった。また、上述した特許文献１に記載の自動監視システムでは、ビデオカメラの選択やビデオカメラの向き等の調整機能を携帯通信機上のファンクションキーと関連付けて携帯通信機のディスプレイに表示させると共にファンクションキーの操作信号によりカメラの動作を制御し得るシステムの構築が必要となるため、実用的コストでシステムを実現することが困難である。
【０００７】
また、上述した特許文献２に記載のシステムでは、録画予約を行うための電子メールのデータ構造は録画予約専用の独自のものとなっており、電子メール送受信装置及び記録再生装置で録画予約専用のデータ構造の電子メールを扱うシステムを構築する必要となるため、実用的コストでシステムを実現することが困難である。なお、この特許文献２に記載のものは、テレビ番組を録画し再生する記録再生装置を遠隔操作するシステムに関するものであり、監視カメラにより所定の監視エリアを撮影する監視レコーダに関するものではなく、監視カメラの動作制御については何等記載されていない。
【０００８】
本発明は、上記課題を解決するためになされたものであり、公衆通信回線を経由して送受信される電子メールを用いて外出先等の遠隔した場所から監視カメラの動作を制御できるデジタル監視レコーダを提供することを目的とする。
【０００９】
【課題を解決するための手段】
上記目的を達成するために請求項１の発明は、所定の監視エリアを撮影するカメラと、カメラによる撮影画像データが記録される記録手段と、カメラによる撮影画像データをインターネット網を介して接続されたサーバ装置へアップロードするための情報に加工する画像データ加工手段と、インターネット網に接続される公衆通信回線に通信接続可能な通信手段と、画像データ加工手段により加工された情報を通信手段を介してサーバ装置へアップロードするアップロード手段とを備え、アクセス端末からのブラウザ表示要求に応じてサーバ装置にアップロードされている情報を該アクセス端末に転送することを可能とするデジタル監視レコーダにおいて、カメラの動作を制御するカメラ動作制御手段と、通信手段を介して電子メールを送受信する電子メール送受信手段と、電子メール送受信手段により電子メールを受信したか否かを所定時間周期で確認し、受信した電子メールが予め許可したメールアドレスからの電子メールであると共に受信した電子メールのタイトルが予め定められたタイトルである場合に、その受信した電子メールはシステムを制御するためのものであると判断する電子メール確認手段と、電子メール確認手段によりシステムを制御するためのものであると判断された電子メールに対して、その電子メールの本文に予め許可したパスワードが記載されている場合に、その電子メールの本文に記載の内容からシステムを制御するための制御命令を解読する制御命令解読手段とを備え、カメラ動作制御手段は、制御命令解読手段により解読された制御命令に従ってカメラの動作を制御するものである。
【００１０】
この構成においては、デジタル監視レコーダは、電子メールを受信すると、その電子メールが許可されたメールアドレスからの電子メールであり、そのタイトルが予め定められたタイトルである場合に、その電子メールはシステムを制御するためのものであると判断する。そして、デジタル監視レコーダは、その電子メールの本文に予め許可したパスワードが記載されている場合に、その電子メールの本文に記載の内容から制御命令を解読し、解読した制御命令に従ってカメラの動作制御を行う。従って、予め許可されたメールアドレスを有する携帯電話等の通信端末機器により、タイトル欄に予め定められたタイトル名を記載し本文欄に予め許可されたパスワードと制御命令を記載した電子メールを作成し、その電子メールをデジタル監視レコーダに送信することで、デジタル監視レコーダのカメラの動作を制御できる。
【００１１】
請求項２の発明は、所定の監視エリアを撮影するカメラと、カメラによる撮影画像データが記録される記録手段と、カメラによる撮影画像データを公衆回線網を介して接続されたサーバ装置へアップロードするための情報に加工する画像データ加工手段と、公衆通信回線に通信接続可能な通信手段と、画像データ加工手段により加工された情報を通信手段を介してサーバ装置へアップロードするアップロード手段とを備え、アクセス端末からの要求に応じてサーバ装置にアップロードされている情報を該アクセス端末に転送することを可能とするデジタル監視レコーダにおいて、カメラの動作を制御するカメラ動作制御手段と、通信手段を介して電子メールを送受信する電子メール送受信手段と、電子メール送受信手段により受信した電子メールに対して、その電子メールに記載の内容からシステムを制御するための制御命令を解読する制御命令解読手段とを備え、カメラ動作制御手段は、制御命令解読手段により解読された制御命令に従ってカメラの動作を制御するものである。
【００１２】
この構成においては、デジタル監視レコーダは、電子メールを受信すると、その電子メールに記載の内容から制御命令を解読し、解読した制御命令に従ってカメラの動作制御を行う。従って、制御命令を記載した電子メールをデジタル監視レコーダに送信することにより、デジタル監視レコーダのカメラの動作を制御できる。
【００１３】
請求項３の発明は、請求項２に記載のデジタル監視レコーダにおいて、電子メール送受信手段により受信した電子メールが予め許可したメールアドレスからの電子メールであり、その電子メールのタイトルが予め定められたタイトルである場合に、その受信した電子メールはシステムを制御するためのものであると判断する電子メール確認手段をさらに備え、制御命令解読手段は、電子メール確認手段によりシステムを制御するためのものであると判断された電子メールに対して、制御命令の解読を行うものである。
【００１４】
この構成においては、デジタル監視レコーダは、電子メールを受信すると、その電子メールが予め許可したメールアドレスからの電子メールであり、そのタイトルが予め定められたタイトルである場合に、その電子メールに記載の内容から制御命令を解読し、解読した制御命令に従ってカメラの動作制御を行う。
【００１５】
【発明の実施の形態】
以下、本発明を具体化した実施形態について図面を参照して説明する。図１において、デジタル監視レコーダ１０は、複数台の監視カメラ１１ａ〜１１ｄにより所定の監視エリアを撮影するものである。このデジタル監視レコーダ１０は、電話回線等の公衆回線を介して、インターネット網（公衆通信回線網）５０に接続するためのＩＳＰ（Ｉｎｔｅｒｎｅｔ  Ｓｅｒｖｉｃｅ  Ｐｒｏｖｉｄｅｒ）４１と接続されており、複数台の監視カメラ１１ａ〜１１ｄによる撮影画像を所定の情報に加工処理したうえ、Ｗｅｂサーバ６０へアップロードする機能を有している。また、デジタル監視レコーダ１０は、メールサーバ６５を通じて電子メールを送受信する機能を有している。アクセス端末７０は、電話回線等の公衆回線を介してまたは無線通信によりＩＳＰ４２に接続可能なパーソナルコンピュータや携帯電話やＰＨＳ等の通信端末機器であり、Ｗｅｂサーバ６０にアップロードされている情報をダウンロードし、その情報による画像をディスプレイ７１に表示する機能、及びメールサーバ６５を通じて電子メールを送受信する機能を有している。これらデジタル監視レコーダ１０、Ｗｅｂサーバ６０、メールサーバ６５、及びアクセス端末７０により遠隔監視システムが構成されている。
【００１６】
デジタル監視レコーダ１０について説明する。デジタル監視レコーダ１０は、４台の監視カメラ１１ａ〜１１ｄと、キャプチャ処理部１２と、フレーム画像処理部１３と、動き検出部１４と、ＭｏｔｉｏｎＪＰＥＧ（Ｊｏｉｎｔ  Ｐｈｏｔｏｇｒａｐｈｉｃ  ＥｘｐｅｒｔｓＧｒｏｕｐ）作成部１５と、仮想ドライブ（画像データ加工手段）１６と、補助記憶装置（記録手段）１７と、通信部１８と、これら各部の動作を制御する制御部（アップロード手段、カメラ動作制御手段、電子メール送受信手段、電子メール確認手段、制御命令解読手段）１９とを備えている。
【００１７】
監視カメラ１１ａ〜１１ｄは、所定のエリアを撮影するものであり、例えば一般の家屋においては、玄関、勝手口、リビング、ベランダ等の各所に設置され、それらの監視エリアを撮影する。監視カメラ１１ａ〜１１ｄには、各々を識別すると共に各監視エリアを示すカメラコードが付与されている。キャプチャ処理部１２は、監視カメラ１１ａ〜１１ｄによる撮影画像をフレーム画像（静止画像）データとして取り込む。キャプチャ処理部１２によるフレーム画像データの取り込みタイミングは、制御部１９により制御され、所定時間（例えば５秒）毎にフレーム画像データを取り込むように制御される。フレーム画像処理部１３は、キャプチャ処理部１２で取り込んだフレーム画像データを仮想ドライブ１６で扱う形式のデータに変換処理する。ＭｏｔｉｏｎＪＰＥＧ作成部１５は、キャプチャ処理部１２で取り込んだフレーム画像データをＭｏｔｉｏｎＪＰＥＧ方式で圧縮処理し、圧縮画像データから成るＭｏｔｉｏｎＪＰＥＧファイルを作成する。
【００１８】
動き検出部１４は、キャプチャ処理部１２で取り込んだフレーム画像データを基に、監視エリア内の物体の動き（例えば人の動きやドア、窓の開閉等）を検出しアラーム情報を出力する。物体の動きの検出は、今回取り込んだフレーム画像データを前回取り込んだフレーム画像データと比較することにより行われ、画像データに変化がある場合には、人の動きやドア、窓の開閉等の何らかの物体の動きがある（異常がある）と判断され、画像データに変化がない場合には、物体の動きがない（異常がない）と判断される。そして、異常がある場合には、カメラコード、「異常あり」を示すコード、及び異常検出時刻から成るアラーム情報が出力され、異常がない場合には、カメラコード、及び「異常なし」を示すコードから成るアラーム情報が出力される。これら動き検出部１４による監視エリア内の物体の動きの検出とアラーム情報の出力は、キャプチャ処理部１２によりフレーム画像データが取り込まれる毎に、各監視エリアに対して行われる。
【００１９】
仮想ドライブ１６は、ＲＡＭドライブで構成されており、制御部１９による制御のもと、監視カメラ１１ａ〜１１ｄを識別するカメラコードと動き検出部１４から出力されたアラーム情報を含むカメラ情報ファイル（監視情報ファイル）を生成する。また、仮想ドライブ１６は、制御部１９による制御のもと、監視カメラ１１ａ〜１１ｄから取り込んだフレーム画像データとカメラ情報ファイルを、Ｗｅｂサーバ６０へホームページとしてアップロードするためのＨＴＭＬ言語で記述された情報に加工処理する。
【００２０】
Ｗｅｂサーバ６０にホームページとしてアップロードされた情報は、アクセス端末７０によりダウンロードされ、アクセス端末７０のブラウザ表示ソフトウェア７２での解読に基づいた画像としてアクセス端末７０のディスプレイ７１に表示される情報である。すなわち、Ｗｅｂサーバ６０にアップロードする情報は、アクセス端末７０に所望の表示形態で画面表示させるための情報である。仮想ドライブ１６は、アクセス端末７０でブラウザ表示ソフトウェアの解読によりディスプレイ７１に表示させたとき、例えば図２に示すように、カメラコード２１ａ〜２１ｄ、撮影画像２２ａ〜２２ｄ、及びアラーム情報２３ａ〜２３ｄを対応付けて１画面に表示されるようにフレーム画像データとカメラ情報をアップロード用の情報に加工処理する。これらカメラ情報ファイルの生成、及び画像データとカメラ情報ファイルのアップロード用の情報への加工処理は、制御部１９による制御のもと、キャプチャ処理部１２によりフレーム画像データが取り込まれる毎に行われる。
【００２１】
また、仮想ドライブ１６は、制御部１９による制御のもと、ＭｏｔｉｏｎＪＰＥＧ作成部１５により作成されたＭｏｔｉｏｎＪＰＥＧファイルを所定メモリ領域に記憶する。仮想ドライブに１６には、所定フレーム（例えば１２０フレーム）分のＭｏｔｉｏｎＪＰＥＧファイルが蓄積記憶される。
【００２２】
補助記憶装置１７は、ＨＤＤで構成されており、制御部１９による制御のもと、仮想ドライブ１６に所定フレーム（例えば１２０フレーム）分のＭｏｔｉｏｎＪＰＥＧファイルが蓄積される毎に、それら仮想ドライブ１６に記憶されている所定フレーム分のＭｏｔｉｏｎＪＰＥＧファイルを記憶する。補助記憶装置１７には、例えば５秒毎にフレーム画像が取り込まれるとした場合、約１週間分のＭｏｔｉｏｎＪＰＥＧファイルが蓄積される。通信部１８は、電話回線等の公衆回線を介して、インターネット網５０に接続するためのＩＳＰ４１と接続されており、制御部１９による制御のもと、この通信部１８を通じてアップロード用の情報や電子メール等の各種情報が送受信される。
【００２３】
制御部１９は、上記各部を制御し、フレーム画像データとカメラ情報ファイルから成る情報をＷｅｂサーバ６０へアップロードするアップロード処理を行う。このアップロード処理では、制御部１９は、所定時間（例えば５秒）経過毎に、監視カメラ１１ａ〜１１ｄによる撮影画像をキャプチャ処理部１２によりフレーム画像データを取り込ませ、カメラ情報ファイルを作成させ、それらをアップロード用の情報に加工処理させ、その情報を通信部１８から送信する。
【００２４】
また、制御部１９は、電子メールを送受信する機能を有しており、受信した電子メールに記載の内容からシステムを制御するための制御命令を解読し、その解読した制御命令に従ってシステム（デジタル監視レコーダ１０の各部）の動作を制御する電子メール制御処理を行う。システムの動作の制御としては、例えば、各監視カメラ１１ａ〜１１ｄの撮影動作のオン／オフ、各監視カメラ１１ａ〜１１ｄの向きやズームの調整、各監視カメラ１１ａ〜１１ｄの撮影画像の録画の開始／停止、動き検出部１４によるアラーム出力のオン／オフ、キャプチャ処理部１２による各監視カメラ１１ａ〜１１ｄからの静止画像の取込み周期すなわちＷｅｂサーバ６０へアップロードするための情報の送信周期の変更、及びこれら動作制御の設定状況（ステータス）の確認等がある。なお、制御部１９は、操作部（不図示）からユーザの操作により入力される制御命令によっても、これらの動作を制御を行う。
【００２５】
次に、上記電子メール制御処理について説明する。インターネット網５０上で利用される電子メールは、ヘッダ部とメール本文の２つの部分から構成されており、ヘッダ部には、発信者のメールアドレス、メールのタイトル等が記載される。電子メール制御処理では、まず、制御部１９は、所定時間（例えば３０秒）経過毎に、メールサーバ６５に対して電子メールを受信したか確認し、電子メールを受信していた場合には、そのヘッダ部に記載されている発信者のメールアドレスが予め許可されたメールアドレスであり、また、ヘッダ部に記載されているタイトルが予め定められたタイトルである場合に、その電子メールはシステムを制御するために送信されてきたものであると判断する。次に、制御部１９は、システムを制御するために送信されてきたものであると判断した電子メールに対して、その電子メールの本文に許可されたパスワードが記載されている場合に、その電子メールの本文に記載の内容からシステムを制御するための制御命令を解読する。そして、制御部１９は、その解読した制御命令に従ってシステム（デジタル監視レコーダ１０の各部）の動作を制御し、発信者のメールアドレス宛に動作制御の結果を示す内容の電子メールを返信する。
【００２６】
ここで、許可されたメールアドレスとは、例えば、デジタル監視レコーダ１０の利用者の所持する携帯電話やＰＨＳ等の通信端末機器の電子メールアドレスである。また、予め定められたタイトルとは、デジタル監視レコーダ１０の利用者が任意に決めたタイトル（例えば、「監視制御」等）である。これらのメールアドレス及びタイトルは、デジタル監視レコーダ１０の操作部を操作することにより、予めデジタル監視レコーダ１０に設定される。制御部１９は、受信した電子メールのヘッダ部に記載されている発信者のメールアドレス及びタイトルを、これらデジタル監視レコーダ１０に設定されているメールアドレス及びタイトルと比較して、発信者のメールアドレスが許可されたメールアドレスであるか、また、タイトルが予め定められたタイトルであるかを判断する。
【００２７】
また、許可されたパスワードとは、デジタル監視レコーダ１０の利用者が任意に決めたパスワード（例えば、「ＡＢＣ１２３」等）であり、デジタル監視レコーダ１０の操作部を操作することにより、予めデジタル監視レコーダ１０に設定される。また、制御部１９は、電子メールの本文中に記号「＜＜」及び「＞＞」で括られている文字・英数字・記号があれば、それらをパスワードとして判断する。例えば、受信した電子メールの本文中に「＜＜ＡＢＣ１２３＞＞」と記載されていれば、「ＡＢＣ１２３」をパスワードと判断する。制御部１９は、このようなパスワード抽出規則に従って電子メールの本文の中からパスワードを抽出し、そのパスワードをデジタル監視レコーダ１０に設定されているパスワードと比較し、一致するか判断する。
【００２８】
また、制御命令の解読は、以下の規則に従って行われる。▲１▼制御部１９は、電子メールの本文中に「＜Ｘ／Ｙ＞」の形式の記載があれば、その記載を制御命令と判断し、Ｘを制御対象、Ｙを制御内容と判断する。▲２▼制御部１９は、Ｘに「カメラ１」「カメラ２」「カメラ３」「カメラ４」と記載されていれば、各々、制御対象が監視カメラ１１ａ〜１１ｄであると判断し、Ｙに「オン」「オフ」「録画開始」「録画停止」「アラームオン」「アラームオフ」と記載されていれば、各々、制御内容が撮影開始、撮影停止、録画開始、録画停止、アラーム出力開始、アラーム出力停止であると判断する。すなわち、制御部１９は、例えば電子メールの本文に「＜カメラ２／オン＞」と記載されていれば、「カメラ１１ｂによる撮影を開始せよ」という制御命令であると判断し、例えば「＜カメラ４／アラームオフ＞」と記載されていれば、「カメラ１１ｄによる撮影画像のアラーム出力（監視エリア内の動き検出）を停止せよ」という制御命令であると判断する。▲３▼制御部１９は、電子メールの本文中に「＜画像／ｓ（数字）＞」という記載があれば、「キャプチャ処理部１２による画像の取込み周期をｓ秒に設定せよ」という制御命令であると判断する。▲４▼制御部１９は、電子メールの本文中に「＜？／？＞」と記載されていれば、「各部の動作の設定状況（ステータス）を返信せよ」という制御命令であると判断する。制御部１９は、このような解読規則に従って電子メールの本文に記載の内容から制御命令を解読し、その解読した制御命令に従ってシステムの動作を制御する。
【００２９】
また、システムの動作を制御した結果を示す内容の返信メールは、例えば、タイトルを「監視制御→結果」とし、本文に「＜Ｘ／Ｙ＞→完了」の形式の記載をする。Ｘは制御対象、Ｙは制御内容である。すなわち、制御部１９は、カメラ１１ｂによる撮影を開始した場合には、本文に「＜カメラ２／オン＞→完了」と記載した電子メールを返信し、画像の取込み周期をｓ秒に設定した場合には、本文に「＜画像／ｓ秒＞→完了」と記載した電子メールを返信する。また、各部の動作の設定状況（ステータス）を返信する場合には、本文に「＜カメラ１／オン、録画中、アラームオン＞＜カメラ２／オフ、録画停止、アラームオフ＞・・・」のように、各部の動作の設定状況を列挙記載した電子メールを返信する。また、パスワードが一致しなかった場合や制御命令が解読できなかった場合等、受信した電子メールによる制御が実行できなかった場合には、本文にエラーメッセージを記載した電子メールを返信する。
【００３０】
次に、上記デジタル監視レコーダ１０の動作について、図３及び図４のフローチャートを参照して説明する。デジタル監視レコーダ１０は、制御部１９による制御のもと動作し、まず、制御部１９内のタイマＴ１が５秒経過したか否かを判断し（＃１）、タイマＴ１が５秒経過していなければ（＃１でＮＯ）、制御部１９内のタイマＴ２が３０秒経過したか否かを判断する（＃１１）。
【００３１】
上記＃１においてタイマＴ１が５秒経過すると、デジタル監視レコーダ１０は、キャプチャ処理部１２にて監視カメラ１１ａ〜１１ｄからフレーム画像データを取り込む（＃２）。そして、取り込んだフレーム画像データを基に、動き検出部１４にて監視エリア内の物体の動きを検出する（＃３）。また、取り込んだフレーム画像データを基に、ＭｏｔｉｏｎＪＰＥＧ作成部１５にてＭｏｔｉｏｎＪＰＥＧファイルを作成し（＃４）、そのＭｏｔｉｏｎＪＰＥＧファイルを仮想ドライブ１６に記憶する（＃５）。
【００３２】
次に、デジタル監視レコーダ１０は、監視カメラ１１ａ〜１１ｄに付与されているカメラコードと＃３における動き検出の結果、出力されるアラーム情報とを基に、仮想ドライブ１６にてカメラ情報ファイルを作成する（＃６）。そして、＃２において取り込んだフレーム画像データと＃６において生成したカメラ情報ファイルを、仮想ドライブ１６にてＷｅｂサーバ６０へのアップロード用の情報に加工処理し、アップロード用に加工処理したフレーム画像データとカメラ情報を通信部１８を通じてＷｅｂサーバ６０へ転送する（＃７）。
【００３３】
また、デジタル監視レコーダ１０は、仮想ドライブ１６に記憶されているＭｏｔｉｏｎＪＰＥＧファイルが所定フレーム分に達した場合には（＃８でＹＥＳ）、それら所定フレーム分のＭｏｔｉｏｎＪＰＥＧファイルを補助記憶装置１７に記憶する（＃９）。このとき、仮想ドライブ１６に記憶されていたＭｏｔｉｏｎＪＰＥＧファイルを全て消去する。
【００３４】
その後、デジタル監視レコーダ１０は、タイマＴ１をリセットし（＃１０）、以降、上記＃１からの処理を繰り返す。これにより、デジタル監視レコーダ１０は、５秒経過毎に、上記＃２〜＃１０の処理を繰り返し、アップロード用に加工処理したフレーム画像データとカメラ情報をＷｅｂサーバ６０へ転送する。また、フレーム画像を圧縮したＭｏｔｉｏｎＪＰＥＧファイルを補助記憶装置１７に蓄積記憶してゆく。
【００３５】
また、上記＃１１においてタイマＴ２の値が３０秒経過すると、デジタル監視レコーダ１０は、電子メールを受信したか否かを確認する（＃１２）。そして、電子メールを受信していた場合には（＃１２でＹＥＳ）、受信した電子メールが予め許可されたメールアドレスからの電子メールであるか否かを判断し（＃１３）、許可されたメールアドレスからの電子メールであれば（＃１３でＹＥＳ）、その電子メールのタイトルが予め定められたタイトルであるか否かを判断する（＃１４）。
【００３６】
次に、デジタル監視レコーダ１０は、受信した電子メールのタイトルが予め定められたタイトルであれば（＃１４でＹＥＳ）、その電子メールの本文に記載されているパスワードが予め許可されたパスワードと一致するか否かを判断し（＃１５）、パスワードが一致すれば（＃１５でＹＥＳ）、受信した電子メールの本文に記載の内容から制御命令を解読する（＃１６）。そして、デジタル監視レコーダ１０は、その解読した制御命令に従ってシステムを制御し（＃１７）、システム制御の結果を示す内容の電子メールを返信する（＃１８）。
【００３７】
その後、デジタル監視レコーダ１０は、タイマＴ２をリセットし（＃１９）、以降、＃１からの処理を繰り返す。また、上記＃１２において電子メールを受信していなかった場合、＃１３において許可されたメールアドレスからの電子メールでなかった場合、＃１４において予め定められたタイトルでなかった場合、＃１５においてパスワードが一致しなかった場合にも、タイマＴ２をリセットし（＃１９）、以降、上記＃１からの処理を繰り返す。これにより、デジタル監視レコーダ１０は、３０秒経過毎に、上記＃１２〜＃１９の処理を繰り返し、受信した電子メールの内容に基づいてシステムの動作を制御する。
【００３８】
次に、Ｗｅｂサーバ６０について説明する。Ｗｅｂサーバ６０は、デジタル監視レコーダ１０から送信されてきたフレーム画像データとアラーム情報をホームページとしてアップロードするものであり、通信部６１と、記憶装置６２と、これら各部の動作を制御する制御部６３とを備えている。通信部６１は、インターネット網５０への接続を行うものであり、制御部６３による制御のもと、この通信部６１を通じて各種情報がインターネット網５０との間で送受信される。
【００３９】
記憶装置６２は、制御部６３による制御のもと、デジタル監視レコーダ１０から送られてきたフレーム画像データとカメラ情報ファイルをＵＲＬ（Ｕｎｉｆｏｒｍ  Ｒｅｓｏｕｒｃｅ  Ｌｏｃａｔｏｒ）アドレスで指定されるメモリ領域内（ホームページ領域内）に記憶（アップロード）する。これにより、デジタル監視レコーダ１０から送信されてきたフレーム画像データとカメラ情報ファイルは、Ｗｅｂサーバ６０にホームページとして掲載される。また、記憶装置６２は、パスワード入力画面をアクセス端末７０に表示させるための画像データを記憶している。
【００４０】
制御部６３は、上記各部を制御し、デジタル監視レコーダ１０からフレーム画像データとカメラ情報ファイルを通信部６１を通じて受信すると、記憶装置６２のホームページ領域内に記憶している情報を更新する。この更新処理は、フレーム画像データについては、受信の都度、受信した最新のフレーム画像データに更新する。また、カメラ情報ファイルについては、受信したカメラ情報ファイルに含まれるアラーム情報が「異常なし」を示していれば更新せず、受信したカメラ情報ファイルに含まれるアラーム情報が「異常あり」を示していれば、受信したカメラ情報ファイルに更新する。これにより、記憶装置６２のホームページ領域には、フレーム画像データについては最新のデータが記憶されると共に、カメラ情報については「異常あり」を示す最新の情報が保持される（異常がなかった場合には、「異常なし」を示す情報が保持される）。また、制御部６３は、アクセス端末７０からのＵＲＬアドレスの指定に基づく接続要求を通信部６１を通じて受信すると、記憶装置６２のホームページ領域内に記憶しているフレーム画像データとカメラ情報ファイルを通信部６１を通じてアクセス端末７０へ送信する。
【００４１】
上記Ｗｅｂサーバ６０の動作について、図５のフローチャートを参照して説明する。Ｗｅｂサーバ６０は、制御部６３による制御のもとに動作し、まず、通信部６１を通じてアクセス端末７０から接続要求を受信したか否かを判断する（＃２１）。
【００４２】
そして、Ｗｅｂサーバ６０は、アクセス端末７０から接続要求を受信しなければ（＃２１でＮＯ）、通信部６１を通じてデジタル監視レコーダ１０からフレーム画像データとカメラ情報ファイルを受信したか否かを判断する（＃２２）。フレーム画像データとカメラ情報ファイルを受信した場合には（＃２２でＹＥＳ）、記憶装置６２のホームページ領域に記憶されている情報を更新する（＃２３）。また、フレーム画像データとカメラ情報ファイルを受信しなかった場合には（＃２２でＮＯ）、＃２１及び＃２２における判断を繰り返す。
【００４３】
また、Ｗｅｂサーバ６０は、アクセス端末７０から接続要求を受信すれば（＃２１でＹＥＳ）、アクセス端末７０との接続を開始し（＃２４）、パスワードの入力画面の画像データをアクセス端末７０へ転送し（＃２５）、アクセス端末７０からのパスワードが合致するか否かを判断する（＃２６）。なお、このパスワードは、上述のデジタル監視レコーダ１０に設定したパスワードと同じでよい。そして、パスワードが合致すれば（＃２６でＹＥＳ）、記憶装置６２のホームページ領域に記憶されている情報を読出し、通信部６１を通じてアクセス端末７０へ転送する（＃２７）。
【００４４】
その後、Ｗｅｂサーバ６０は、アクセス端末７０から接続遮断要求を受信したか否かを判断し（＃２８）、接続遮断要求を受信しなければ（＃２８でＮＯ）、デジタル監視レコーダ１０からフレーム画像データとカメラ情報ファイルを受信したか否かを判断する（＃２９）。
【００４５】
そして、Ｗｅｂサーバ６０は、デジタル監視レコーダ１０からフレーム画像データとカメラ情報ファイルを受信すると（＃２９でＹＥＳ）、記憶装置６２のホームページ領域に記憶されている情報を更新し（＃３０）、記憶装置６２のホームページ領域に記憶されている情報（更新された情報）を読出し、アクセス端末７０へ転送する（＃２７）。以降、＃２８からの処理を繰り返すことにより、Ｗｅｂサーバ６０は、アクセス端末７０との接続状態においてデジタル監視レコーダ１０からフレーム画像データとカメラ情報ファイルを受信すると、その都度、最新の情報をアクセス端末７０へ転送する。
【００４６】
Ｗｅｂサーバ６０は、上記＃２８においてアクセス端末７０から接続遮断要求を受信した場合、及び上記＃２６においてパスワードが合致しなかった場合に、アクセス端末７０との接続を遮断し（＃３１）、＃２１からの処理を繰り返す。
【００４７】
次に、アクセス端末７０について説明する。アクセス端末７０は、Ｗｅｂサーバ６０にホームページとしてアップロードされた情報をダウンロードして、その情報を表示するものであり、画像を表示するディスプレイ７１を備え、Ｗｅｂサーバ６０からダウンロードした情報を解読してディスプレイに７１に表示させるブラウザ表示ソフトウェア７２がインストールされている。また、アクセス端末７０は、メールサーバ６５を通じて電子メールを送受信する機能を有している。このようなアクセス端末としては、携帯電話やＰＨＳ、パーソナルコンピュータ等の通信端末機器があり、電話回線等の公衆回線または無線通信によりＩＳＰ４２に接続可能とされ、ＩＳＰ４２を通じてインターネット網５０に接続可能になっている。
【００４８】
このようなアクセス端末７０で最寄りのＩＳＰ４２を介してインターネット網５０に接続し、ＵＲＬアドレスを指定してＷｅｂサーバ６０へのアクセス要求を行うと、Ｗｅｂサーバ６０にホームページとしてアップロードされている情報がアクセス端末７０にダウンロードされる。そして、アクセス端末７０では、ダウンロードされた情報がブラウザ表示ソフトウェアにより解読されて、図２に示したような表示形態で、ディスプレイ７１にデジタル監視レコーダ１０の各監視エリアのカメラコード２１ａ〜２１ｄ、撮影画像２２ａ〜２２ｄ、及びアラーム情報２３ａ〜２３ｄが表示される。
【００４９】
このとき、デジタル監視レコーダ１０は、上述したように、５秒毎に、監視カメラ１１ａ〜１１ｄからフレーム画像データを取り込み、そのフレーム画像データとカメラ情報ファイルを、逐次、Ｗｅｂサーバ６０へ転送する。また、Ｗｅｂサーバ６０は、上述したように、アクセス端末７０との接続状態においてデジタル監視レコーダ１０からフレーム画像データとカメラ情報ファイルを受信すると、その都度、ホームページとしてアップロードする情報を更新し、更新後の情報をアクセス端末７０へ転送する。
【００５０】
これにより、アクセス端末７０には、５秒毎に最新の情報がダウンロードされ、アクセス端末７０のディスプレイ７０では、５秒毎にデジタル監視レコーダ１０の最新の撮影画像２２ａ〜２２ｄとアラーム情報２３ａ〜２３ｄが表示される。すなわち、アクセス端末７０には、デジタル監視レコーダ１０による５秒毎の撮影画像２２ａ〜２２ｄがリアルタイムに表示され、その画像は擬似ライブ映像となる。また、アラーム情報もリアルタイムに表示される。
【００５１】
また、許可されたメールアドレスを有するアクセス端末（例えばデジタル監視レコーダ１０の利用者の所持する携帯電話等）７０により、予め定められたタイトル名（「監視制御」）で、その本文にパスワード（「＜＜ＡＢＣ１２３＞＞」）と制御命令（例えば「＜カメラ２／オン＞」）とを記載した電子メールをデジタル監視レコーダ１０のアドレス宛に送信すると、その電子メールは、メールサーバ６５を通じて、デジタル監視レコーダ１０に受信される。
【００５２】
そして、デジタル監視レコーダ１０は、受信した電子メールに対して、上述したように、発信者のメールアドレス、電子メールのタイトル、及び本文に記載のパスワードを確認した上で、本文の記載されている内容から制御命令を解読し、その制御命令に従ってシステムの動作を制御する。今の場合、デジタル監視レコーダ１０は、受信した電子メールの本文の「＜カメラ２／オン＞→完了」という記載から「カメラ１１ｂによる撮影を開始せよ」という制御命令を解読し、この制御命令に従って監視カメラ１１ｂによる撮影を開始する。また、デジタル監視レコーダ１０は、本文に「＜カメラ２／オン＞→完了」という記載をした電子メール返信し、その返信メールは、メールサーバ６５を通じて許可されたメールアドレスを有するアクセス端末７０に受信される。
【００５３】
このように、許可されたメールアドレスを有するアクセス端末７０により、予め定められたタイトル名で、その本文に予め許可されたパスワードと制御命令を記載した電子メールを作成し、その電子メールをデジタル監視レコーダ１０のアドレス宛に送信することで、デジタル監視レコーダ１０の動作を制御することができる。また、許可されたメールアドレスを有するアクセス端末７０により、デジタル監視レコーダ１０からの制御結果を示す内容が記載された電子メールが受信されることで、デジタル監視レコーダ１０の動作を確認できる。
【００５４】
なお、本発明は、上記実施形態の構成に限られず、種々の変形が可能である。例えば、許可されたメールアドレス以外のメールアドレスからの電子メールに対しても、その電子メールに記載の内容から制御命令を解読し、その制御命令に従ってデジタル監視レコーダ１０の動作を制御するようにしてもよい。これによれば、デジタル監視レコーダ１０の利用者の所持する携帯電話等に限らず、どの通信端末機器からでもデジタル監視レコーダ１０の動作を制御できる。また、電子メールの本文に記載の内容からのパスワードの抽出規則、及び制御命令の解読規則は、上記実施形態で説明したものに限られず、上記実施形態で説明した以外の規則でパスワードを抽出し、また、制御命令を解読してもよい。
【００５５】
【発明の効果】
以上説明したように請求項１の発明によれば、デジタル監視レコーダは、インターネット網を経由して送信されてくる電子メールを受信し、その電子メールの内容から制御命令を解読してカメラの動作制御を行うため、携帯電話等の通信端末機器を用いてデジタル監視レコーダに電子メールを送信することで、外出先等の遠隔した場所から監視カメラの動作を制御できる。また、デジタル監視レコーダは、受信した電子メールの送信元のメールアドレス、タイトル、及びパスワードを確認して、その電子メールの内容から制御命令を解読するため、誤った電子メールの受信によりカメラの動作制御を行うことがない。
【００５６】
請求項２の発明によれば、デジタル監視レコーダは、公衆通信回線網を経由して送信されてくる電子メールを受信し、その電子メールの内容から制御命令を解読してカメラの動作を制御するため、携帯電話等の通信端末機器を用いてデジタル監視レコーダに電子メールを送信することで、外出先等の遠隔した場所からデジタル監視レコーダの監視カメラの動作を制御することできる。
【００５７】
請求項３の発明によれば、デジタル監視レコーダは、受信した電子メールの送信元のメールアドレス、タイトル、及びパスワードを確認して、その電子メールの内容から制御命令を解読するため、誤った電子メールの受信によりカメラの動作制御を行うことがない。
【図面の簡単な説明】
【図１】本発明の一実施形態に係るデジタル監視レコーダとこれに接続されるＷｅｂサーバ及びアクセス端末の概略構成を示す電気的ブロック構成図。
【図２】同デジタル監視レコーダからＷｅｂサーバへアップロードするフレーム画像データとカメラ情報ファイルによるアクセス端末での表示形態を示す図。
【図３】同デジタル監視レコーダの動作の流れを示すフローチャート。
【図４】同デジタル監視レコーダの動作の流れを示すフローチャート。
【図５】同デジタル監視レコーダに接続されるＷｅｂサーバの動作の流れを示すフローチャート。
【符号の説明】
１０  デジタル監視レコーダ
１１ａ、１１ｂ、１１ｃ、１１ｄ  監視カメラ
１２  キャプチャ処理部
１４  動き検出部
１６  仮想ドライブ（監視情報ファイル生成手段）
１９  制御部
５０  インターネット網（通信回線網）
６０  Ｗｅｂサーバ（サーバ装置）
７０  アクセス端末
【図１】
2004153512.tif 000003
【図２】
2004153512.tif 000004
【図３】
2004153512.tif 000005
【図４】
2004153512.tif 000006
【図５】
2004153512.tif 000007